(57)【特許請求の範囲】
【請求項１】
ＬＥＤ照明システムを制御するための回路であって、
１次巻き線Ｔ１を有する単一コンバータ制御回路と、
１次巻き線Ｔ１及び第１の出力電流検知／条件付け回路に対して結合させた少なくとも１つの２次巻き線Ｔ２、Ｔ３を有する第１の分離出力チャンネル回路と、
１次巻き線Ｔ１及び第２の出力電流検知／条件付け回路に対して結合させた少なくとも１つの２次巻き線Ｔ６、Ｔ７を有する少なくとも１つの第２の分離出力チャンネルと、
第１及び第２の分離出力チャンネルを通過するピーク電流出力を決定し、前記単一コンバータ制御回路にフィードバックする出力電流調節回路と、
を備える回路。
【請求項２】
前記出力電流調節回路は、各分離出力チャンネルの両端のピーク出力電圧を検出する前記２次巻き線にタイトに結合させた電圧検知巻き線Ｔ４を含む、請求項１に記載の回路。
【請求項３】
前記出力電流調節回路は、第１及び第２の分離出力チャンネル回路内のピーク電流出力を決定するために第１及び第２の分離出力チャンネル回路内の第１及び第２のフォトダイオードのそれぞれからの電流信号を検出する第１及び第２のフォトトランジスタを含む、請求項２に記載の回路。
【請求項４】
各分離出力チャンネル回路は１つの検知抵抗器を含む、請求項３に記載の回路。
【請求項５】
前記第１のフォトダイオードは検知抵抗器及び増幅器を通る電流を受け取ると共に第１のフォトトランジスタにより検知される電流を提供する、請求項４に記載の回路。
【請求項６】
前記第２のフォトダイオードは第２の出力電流検知／条件付け回路内の検知抵抗器を通る電流を受け取ると共に第２のフォトトランジスタにより検知される電流を提供する、請求項５に記載の回路。
【請求項７】
前記第１及び第２のフォトトランジスタが検知した電流を比較すると共に第１及び第２の分離出力チャンネルのいずれがより高いピーク出力電流を有するかを判定するピーク出力電流調節素子をさらに備える請求項６に記載の回路。
【請求項８】
検出された出力電圧が所定のしきい電圧に達したときに、前記電流調節回路は、電流調節から電圧調節に切り替わり、前記第１及び第２の分離出力チャンネルに関する出力電流が検知され、
前記単一コンバータ制御回路は、最大の出力電流を有する分離出力チャンネルを保護し調節するために最大出力電流を有する分離出力チャンネルのパワー出力を制御している、請求項７に記載の回路。
【請求項９】
前記第１の分離出力チャンネルは、出力チャンネル回路にパワーを供給する電圧検知巻き線Ｔ４にタイトに結合された２次巻き線Ｔ５を備える、請求項１乃至８のいずれかに記載の回路。
【請求項１０】
前記２次巻き線Ｔ５は専用の電圧源を生成する、請求項９に記載の回路。
【請求項１１】
前記第１及び第２の分離出力チャンネルはＣｌａｓｓＩＩ出力チャンネル分離要件に準拠している、請求項１乃至１０のいずれかに記載の回路。
【請求項１２】
前記単一コンバータ制御回路は制御集積回路（ＩＣ）を含む、請求項１乃至１１のいずれかに記載の回路。
【請求項１３】
前記制御ＩＣは、第１のハーフブリッジ回路に結合された低側ドライバ出力ピンと、第２のハーフブリッジ回路に結合された高側ドライバ出力ピンとを有する、請求項１２に記載の回路。
【請求項１４】
各分離出力チャンネル回路は直列に接続された同じタイプ及び同じ数のＬＥＤを含む、請求項１乃至１２のいずれかに記載の回路。
【請求項１５】
マルチチャンネル２次回路の両端の電圧を検知する電圧検知巻き線Ｔ４と、
２次回路内でそれぞれの分離出力チャンネル回路に結合されている、電流を送り出す少なくとも第１及び第２のフォトダイオードと、
フォトダイオードから送り出された電流を比較し、分離出力チャンネル回路のいずれがより大きなピーク出力電流を有するかを判定し、かつその出力電流を調節するためのフィードバック信号を１次カイロに送るピーク電流調節素子と、
を備えるＬＥＤドライバ出力チャンネル調節回路。
【請求項１６】
その各々が１つのフォトダイオードを含むと共にそれぞれの分離出力チャンネル回路に結合されている出力電流検知／条件付け回路をさらに備える請求項１５に記載の回路。
【請求項１７】
各出力電流検知／条件付け回路は、検知抵抗器を通る電流を増幅し、該電流をそれぞれのフォトダイオードに対して入力として提供する、請求項１６に記載の回路。
【請求項１８】
前記第１のフォトダイオードはピーク電流調節素子に対して結合させた第１のフォトトランジスタとで１つのオプトカプラを形成しており、かつ前記第２のフォトダイオードはピーク電流調節素子に対して結合させた第２のフォトトランジスタとで１つのオプトカプラを形成している、請求項１７に記載の回路。
【請求項１９】
より大きなピーク出力電流を有すると判定された分離出力チャンネルは、電圧検知巻き線Ｔ４で検知した出力電圧が所定のしきい値を超えたときには電圧調節を用いて、また電圧検知巻き線Ｔ４で検知した出力電圧が所定のしきい値以下であるときには電流調節を用いて制御されている、請求項１５乃至１８のいずれかに記載の回路。
【発明の詳細な説明】
【技術分野】
【０００１】
発光ダイオード（ＬＥＤ）照明システムは、その長寿命、エネルギー効率及び光学設計の柔軟性のために白熱ランプや放電ランプにとって代えることが益々普及しつつある。その結果、ＬＥＤシステムの用途は低電力用途だけでなく高電力用途も含むようになっている。ＬＥＤシステムはさらに、屋内用途以外に屋外用途でも普及しつつある。さらにＬＥＤシステムは特殊な照明用途だけに限らず一般用途でも使用されつつある。
【背景技術】
【０００２】
幾つかの用途では、出力のＣｌａｓｓＩＩ分離が必要である。典型的なＣｌａｓｓＩＩ高電力ＬＥＤドライバ設計は、並列にした分離された複数のＬＥＤコンバータか、同じ電源に接続した複数の単一段の分離されたＬＥＤドライバのいずれかによる共通のフロントエンド力率補正セクションを使用している。こうした配列では、素子の冗長度が無用に高くなる。このため、こうした配列はコスト及びサイズが大きく、またシステム効率は低い。
【先行技術文献】
【特許文献】
【０００３】
【特許文献１】米国特許出願第２００２１４５０４１  Ａ１号
【発明の概要】
【発明が解決しようとする課題】
【０００４】
したがって当技術分野では、ＣｌａｓｓＩＩ定格の回路における素子冗長度の低減及びシステム効率の向上を容易にすると共に、上で指摘した欠点を克服するようなシステム及び方法に対する未達成の必要性が存在する。
【課題を解決するための手段】
【０００５】
一態様によるＬＥＤ照明システムを制御するための回路は、１次巻き線Ｔ１を有する単一コンバータ制御回路と、１次巻き線Ｔ１に対して並びに第１の出力電流検知／条件付け回路に対してタイトに結合させた少なくとも１つの２次巻き線Ｔ２、Ｔ３を有する第１の分離出力チャンネル回路と、を備える。本回路はさらに、１次巻き線Ｔ１に対して並びに第２の出力電流検知／条件付け回路に対してタイトに結合させた少なくとも１つの２次巻き線Ｔ６、Ｔ７を有する少なくとも１つの第２の分離出力チャンネルを備える。本回路はさらに、第１及び第２の分離出力チャンネルを通過するピーク電流出力を決定する出力電流調節回路を備える。
【０００６】
別の態様によるＬＥＤドライバ出力チャンネル調節回路は、マルチチャンネル２次回路の両端の電圧を検知する電圧検知巻き線Ｔ４と、２次回路内でそれぞれの分離出力チャンネル回路に結合されている電流を送り出す少なくとも第１及び第２のフォトダイオードと、を備える。本回路はさらに、フォトダイオードによって送り出された電流を比較し、分離出力チャンネル回路のいずれがより大きなピーク出力電流を有するかを判定し、かつその出力電流を調節しているピーク電流調節素子を備える。
【図面の簡単な説明】
【０００７】
【図１】本明細書に記載した１つまたは複数の態様によるＩＣコントローラ及びハーフブリッジベースの共振コンバータを含む回路の１次側を表した図である。
【図２】本明細書に記載した１つまたは複数の態様による複数の分離出力チャンネルを含んだ回路の２次側を表した図である。
【図３】本明細書に記載した１つまたは複数の態様による所与の時点で最大の検知出力電流を有するチャンネルを調節している回路の電流調節部分を表した図である。
【発明を実施するための形態】
【０００８】
以下の説明は分離されたマルチチャンネル出力を有する単一コンバータ回路ベースのＬＥＤドライバに関するものである。記載した回路設計の利点には、すべての出力がＣｌａｓｓＩＩ要件を満たすこと、使用するＩＣ制御及びコンバータ回路が１つだけでよいこと、素子の点数を削減できること、並びに効率が向上すること、が含まれる。すなわち、複数の出力を有する単一コンバータによってコストが低く、効率が高くかつサイズが小さい回路の提供が容易になる。高電力ＬＥＤドライバ用途のプラットフォームとしてハーフブリッジベースの共振コンバータが利用される。しかし本明細書に記載した様々な実施形態と連携して電流供給式（ｃｕｒｒｅｎｔーｆｅｄ）、フライバック型あるいは別の任意の分離回路プラットフォームを利用することが可能であることを理解されたい。
【０００９】
図１〜３は、本明細書に記載した様々な態様による分離されたマルチチャンネル出力を有する単一コンバータ回路ベースのＬＥＤドライバを備えた回路１０を表している。以下の検討は、回路１０の具体的な構成、並びにその特徴に関するものである。図１に示したように回路１０は、複数の入力／出力（Ｉ／Ｏ）ピンを備えた制御集積回路（ＩＣ）１２を備える。一例ではそのＩＣ１２はＬ６５９９ＩＣである。コンデンサ１４（例えば、０．１μＦのコンデンサその他）が、制御ＩＣ１２上でブートストラップした供給電圧（Ｖｂｏｏｔ）ピンに対して、並びに高側ドライバ基準（Ｏｕｔ）ピン及び１次変圧器巻き線Ｔ１に対して結合されている。一例ではその巻き線Ｔ１はＧ３０８７６巻き線である。ＩＣ１２上の高側ドライバ出力（Ｈｖｇ）ピンは、抵抗器１６に対して、かつ続いて抵抗器２０に結合されるダイオード１８に対して結合させている。抵抗器１６及び２０はスイッチ２２（例えば、ＭＯＳＦＥＴその他）のゲートに結合されており、またスイッチ２２のドレインは電圧バスに結合されている。一例ではその抵抗器１６は２０Ω抵抗器であり、そのダイオード１８は１Ｎ４１４８ダイオードであり、その抵抗器２０は１ｋΩ抵抗器であり、かつそのスイッチ２２はＩＲＦ７４０のＭＯＳＦＥＴである。
【００１０】
ＩＣ１２上のソース電圧（Ｖｃｃ）ピンは、ダイオード２４、コンデンサ２６及びコンデンサ２８のそれぞれに結合されている。コンデンサ２８は、コンデンサ３２に結合されるダイオード３０に結合されると共に、ダイオード２４、コンデンサ２６に対してまた接地に対して結合されている。コンデンサ３２はさらに、ダイオード２４、コンデンサ２６、コンデンサ１４、ＩＣ１２上の出力ピン、並びに１次変圧器巻き線Ｔ１に結合されている。一例ではそのダイオード２４及び３０は１Ｎ４１４８ダイオードであり、その２６は０．１μＦコンデンサであり、そのコンデンサ２８は１０μＦコンデンサであり、かつそのコンデンサ３２は１５０ｐＦコンデンサである。
【００１１】
ＩＣ１２上の低側ドライバ出力（Ｌｖｇ）ピンは、抵抗器３４に対して、かつ続いて抵抗器３８に結合されるダイオード３６に対して結合させている。抵抗器３４及び３８はスイッチ４０（例えば、ＭＯＳＦＥＴその他）のゲートに結合されており、またスイッチ４０のドレインはスイッチ２２のソースに結合されている。スイッチ４０のソースは、ダイオード３０、コンデンサ２８、コンデンサ４２に対して、また接地に対して結合されている。コンデンサ４２はさらに、１次変圧器巻き線Ｔ１に対してかつコンデンサ４４に対して結合されている。一例ではその抵抗器３４は２０Ω抵抗器であり、そのダイオード３６は１Ｎ４１４８ダイオードであり、その抵抗器３８は１ｋΩ抵抗器であり、そのスイッチ４０はＩＲＦ７４０のＭＯＳＦＥＴであり、そのコンデンサ４２は１５ｎＦコンデンサであり、かつそのコンデンサ４４は１００ｐＦコンデンサである。
【００１２】
コンデンサ４４は、ダイオード４８及び５０に結合させる抵抗器４６に結合させている。ダイオード５０は抵抗器５２及びコンデンサ５４に結合させており、これらはいずれもが、接地に対して並びに同じく接地に結合させたダイオード４８に対して結合されている。ダイオード５０、抵抗器５２及びコンデンサ５４はさらに、ＩＣ１２上の電流検知（Ｉｓｅｎｓ）ピンに結合させている。ＩＣ上のその他のピン（例えば、Ｎｃ及びＬｉｎｅ、その他）は未接続のままである。ＩＣ１２上の接地ピンは、コンデンサ２８、ダイオード３０に対して、また接地に対して結合させている。一例では、その抵抗器４６は５０Ω抵抗器であり、そのダイオード４８及び５０は１Ｎ４１４８ダイオードであり、その抵抗器５２は１０ｋΩ抵抗器であり、かつそのコンデンサ５４は３３ｎＦコンデンサである。
【００１３】
図１の参照を続けながらここで図２を見ると回路１０は、第１の分離出力チャンネル７０、第２の分離出力チャンネル７２及び出力電流検知／条件付け回路７４を含む。
【００１４】
第１の出力チャンネル回路７０は、アース接地１に対して並びにコンデンサ７６及びダイオード７８に対して結合された巻き線Ｔ５を含む。コンデンサ７６とダイオード７８はダイオード８０に結合されており、ダイオード８０は次いでコンデンサ８２に結合されている。コンデンサ８２は、ダイオード７８、巻き線Ｔ５及びアース接地１に結合されている。本回路はさらに２次変圧器巻き線Ｔ２及びＴ３を含んでおり、これらの巻き線の両方はアース接地１（Ｅ−Ｇｎｄ１）に結合されると共に、巻き線Ｔ１に対して誘導性に結合されている。一例では、そのコンデンサ７６、８２は２２ｎＦコンデンサであり、そのダイオード７８、８０は１Ｎ４１４８ダイオードであり、かつその巻き線Ｔ２、Ｔ３、Ｔ５はＧ３０８７６巻き線である。
【００１５】
巻き線Ｔ５は、１次側巻き線（例えば、Ｔ１、Ｔ４）に対してタイトに結合されると共に、チャンネル１の出力が短絡された場合であっても電圧が保証されるような電圧源Ｖｃｃ３（例えば、電源）を有する。
【００１６】
第２の出力チャンネル回路７２は変圧器巻き線Ｔ６及びＴ７を含む。ダイオード８４が、巻き線Ｔ６に対して並びに巻き線Ｔ７に結合されたダイオード８６に対して結合されている。ダイオード８４及び８６はさらにコンデンサ８８に結合されており、このコンデンサ８８は巻き線Ｔ６及びＴ７に対して並びにアース接地２（Ｅ−Ｇｎｄ２）に対して結合されている。ダイオード８４及び８６とコンデンサ８８とは、出力電流（Ｉｏｕｔ）検知／条件付け素子９０に対して並びにＬＥＤ９２に対して結合されている。Ｉｏｕｔ検知／条件付け回路９０（例えば、出力電流検知／条件付け回路７４と同様または同一のもの）がＬＥＤ９４に結合されている。一例ではそのダイオード８４、８６はＭＵＲ４２０ダイオードであり、そのコンデンサ８８は１００μＦコンデンサであり、かつそのＬＥＤはＮＣＳＷ１３６のＬＥＤである。
【００１７】
回路１０はさらに、増幅器１００に結合された抵抗器９６及び抵抗器９８を含む。増幅器１００はさらに、フォトダイオード１０２及び抵抗器１０４に結合されており、これらはさらに互いに結合させている。増幅器１００はコンデンサ１０６に結合されており、このコンデンサ１０６はさらにフォトダイオード１０２及び抵抗器１０８に結合されている。抵抗器１０８は、増幅器１００に対して並びに続いて抵抗器１１２及びＬＥＤ１１４に結合される抵抗器１１０に対して結合されている。抵抗器１１２は追加的にアース接地１（Ｅ−Ｇｎｄ１）に結合されている。一例ではその抵抗器９６は１０ｋΩ抵抗器であり、その抵抗器９８は１ｋΩ抵抗器であり、かつその増幅器１００はＬＭ３２５増幅器である。別の例ではそのフォトダイオード１０２はＳＦＨ６１０６フォトダイオードであり、その抵抗器１０４は５０Ω抵抗器であり、そのコンデンサ１０６は２２ｎＦコンデンサであり、その抵抗器１０８は５．６ｋΩ抵抗器であり、かつその抵抗器１１０は１ｋΩ抵抗器である。さらに別の例ではその抵抗器１１２は０．２５Ω抵抗器であり、かつそのＬＥＤ１１４はＮＣＳＷ１３６のＬＥＤである。
【００１８】
ＬＥＤ１１６を、ダイオード１１８、ダイオード１２０及びコンデンサ１２２に結合させている。ダイオード１１８は２次巻き線Ｔ２に結合されており、またダイオード１２０は２次巻き線Ｔ３に結合されている。ダイオード１１８及び１２０はさらにコンデンサ１２２に結合されており、このコンデンサ１２２は一方で２次巻き線Ｔ２及びＴ３に対して並びにアース接地１（Ｅ−Ｇｎｄ１）に対して結合されている。一例ではそのＬＥＤはＮＣＳＷ１３６のＬＥＤであり、そのダイオード１１８、１２０はＭＵＲ４２０ダイオードであり、かつそのコンデンサ１２２は１００μＦコンデンサである。
【００１９】
図１及び２の参照を続けながらここで図３を見ると回路１０は、続いて抵抗器１３２に結合されるダイオード１３０に結合させた電圧検知巻き線Ｔ４を有する出力電流調節回路１２８を含む。巻き線Ｔ４は、２次巻き線（例えば、Ｔ２、Ｔ３、Ｔ５、Ｔ６、及びＴ７）にタイトに結合されると共に、回路１０（図２参照）の２次側両端の電圧を検知する。１つまたは複数のＬＥＤが接続されない場合などの軽負荷または無負荷条件が存在する場合に出力電圧は増加する。出力電圧が所定のしきい電圧（例えば一例では、概ね５５Ｖまたはその程度）に達するかこれを超えると、回路１０は電流調節から電圧調節に切り替わる。すべてのチャンネルに関する出力電流が検知されると共に、最大の出力電流を有するチャンネルが調節される。一例ではその巻き線Ｔ４はＧ３０８７６巻き線であり、そのダイオード１３０は１Ｎ４１４８ダイオードであり、かつその抵抗器１３２は１００Ω抵抗器である。
【００２０】
抵抗器１３２は、コンデンサ１３４に対して、かつさらにコンデンサ１３８に結合される抵抗器１３６に対して結合されている。抵抗器１３２及び１３６とコンデンサ１３４とは抵抗器１４０に結合されており、この抵抗器１４０は一方で抵抗器１４２に対して並びに巻き線Ｔ４に対して結合されている。コンデンサ１３４は、抵抗器１３６及び巻き線Ｔ４に対して並びに抵抗器１４２に対して結合されている。一例ではそのコンデンサ１３４、１３８は３３ｎＦコンデンサであり、その抵抗器１３６、１４２は１ｋΩ抵抗器であり、かつその抵抗器１４０は１０ｋΩ抵抗器である。
【００２１】
抵抗器１４２はさらに抵抗器１４４に結合されており、この抵抗器１４４は一方で電圧源Ｖｃｃ２に結合されている。抵抗器１４２及び１４４は誤差増幅器１４６に結合されており、この誤差増幅器１４６もＶｃｃ２に結合されている。コンデンサ１３８は抵抗器１４８に結合されおり、またこの抵抗器１４８はダイオード１５０に結合されている。抵抗器１４８及びダイオード１５０は誤差増幅器１４６に結合されており、またダイオード１５０はさらに、ＩＣ１２上のスタンバイ（Ｓｔｂｙ）ピンに結合される抵抗器１５２に結合させている。一例ではその抵抗器１４４は１０ｋΩ抵抗器であり、その増幅器１４６はＬＭ３２５増幅器であり、その抵抗器１４８は６．２ｋΩ抵抗器であり、かつそのダイオード１５０は１Ｎ４１４８ダイオードである。別の例ではその抵抗器１５２は５ｋΩ抵抗器である。
【００２２】
抵抗器１５４が、ＩＣチップ１２上の最小振動周波数設定（ＲｆＭｉｎ）ピンに対して並びにピーク出力電流調節素子１５６に対して結合されている。調節素子１５６はさらにフォトトランジスタ１５８及び１６０に結合されており、これらは一方で互いに対して並びに接地に対して結合されると共に、フォトダイオード１０２から並びに別の分離チャンネルの等価的なフォトダイオード（例えば、出力電流検知／条件付け回路９０の第２のフォトダイオードなど）から電流信号を受け取っている。一例ではその抵抗器１５４は４．７ｋΩ抵抗器であり、その電流調節素子１５６はＧ２０６７８素子であり、かつそのフォトトランジスタ１５８、１６０はＳＦＨ６１０６フォトトランジスタである。
【００２３】
さらに図１〜３を参照すると主変圧器では、各出力に対する負荷がアンバランスな場合であっても、各出力上の電圧が確実に最小の誤差で互いに等しくなるように分離巻き線のすべてを互いにタイトに結合している。各チャンネルにおいて出力電流の制御及び調節のために、出力電流が検知されて１次側（例えば、図１及び３）にフィードバックされる。すべての出力の電流を検知しているが、調節されるのはこれら出力のうち最大の電流である。これ以外のチャンネルの電流を決定するためにはフォトダイオード及び誤差増幅器の電圧及び電流特性が使用される。一実施形態では各チャンネルは、均一な温度分布で直列に接続された同じタイプ及び同じ数のＬＥＤを利用している。
【００２４】
図面に示したように、各チャンネルの出力位置の電圧を整合させるために２つの２次出力を互いにタイトに結合させている。各チャンネルは、同じタイプ及び同じ数のＬＥＤを直列／並列構成で駆動させている。各チャンネル上には、２次出力上でＥ−Ｇｎｄ１に対して共通の繋ぎとして２つの巻き線Ｔ２及びＴ３を存在させている。ダイオード１１８及び１２０は、１２２を充電しコンデンサ１２２上のエネルギー及びＬＥＤ１１４、１１６への電流を維持するためにそれぞれＴ２及びＴ３に接続されている。
【００２５】
検知抵抗器１１２はチャンネル出力電流を検知しており、また増幅器１００はさらにこの検知信号を条件付けすると共に（フォトトランジスタ１５８、１６０に信号（複数のこともある）を伝達している）オプトカプラのカソードを駆動する。増幅器１００は、スケールダウンした基準に接続させた非インバート入力と検知抵抗器１１２に接続された抵抗器１１０を介したインバート入力とを有する。１次巻き線Ｔ１にタイト結合されると共に主パワーコンバータから分離されている巻き線Ｔ２、Ｔ３は、第１のチャンネル７０向けの電源を提供する。第２のチャンネル７２は第１のチャンネル７０と同じ構成としているが、第２のチャンネル７２は分離された巻き線Ｔ６、Ｔ７によって分離されている。第２のチャンネル７２と同じ方式で追加のチャンネルを付加することが可能である。したがって、ＣｌａｓｓＩＩ要件を満たすためにチャンネルのすべてを主パワーコンバータから分離している。
【００２６】
各チャンネル上では、オプトカプラがピーク電流調節器１５６に出力電流信号をフィードバックしている。所与の任意の時点において最大の出力電流を有するチャンネルが調節を受ける。ある出力チャンネルに軽負荷または無負荷条件が存在するような場合では、出力変圧器の２次側にタイトに結合させた巻き線Ｔ４上の電圧は、当該出力チャンネル上の電圧を示している。この電圧は、最大出力電圧を調節するための制御ループを引き継ぐように誤差増幅器１４６により処理される。
【００２７】
したがって回路１０によれば、複数の分離出力チャンネルに関する出力電流の検知並びに最大出力電流を有するチャンネルの電流の所与の時点での調節が容易になる。この方式により本回路は、ＬＥＤ用途において複数のＣｌａｓｓＩＩコンバータの使用を不要にする。これによりコストが削減され、回路サイズが小さくなり、かつ効率が向上する。
【００２８】
本明細書に示した素子の値及び／または型番号の具体的な例は本質的に例証のためであり限定の意味と解釈すべきでない。記載した回路機能を実現するためには別の素子値及び／または型番が利用されることもあることは当業者であれば理解されよう。
【００２９】
本発明について好ましい実施形態を参照しながら記載してきた。上の詳細な説明を読みかつ理解することにより修正形態や変形形態が当然に得られよう。本発明はこれらの修正形態や変形形態のすべてを含むように意図している。
【符号の説明】
【００３０】
１０  ＬＥＤ照明システム制御回路
１２  制御集積回路（ＩＣ）
１４  コンデンサ
１６  抵抗器
１８  ダイオード
２０  抵抗器
２２  スイッチ
２４  ダイオード
２６  コンデンサ
２８  コンデンサ
３０  ダイオード
３２  コンデンサ
３４  抵抗器
３６  ダイオード
３８  抵抗器
４０  スイッチ
４２  コンデンサ
４４  コンデンサ
４６  抵抗器
４８  ダイオード
５０  ダイオード
５２  抵抗器
５４  コンデンサ
７０  分離出力チャンネル
７２  分離出力チャンネル
７４  出力電流検知／条件付け回路
７６  コンデンサ
７８  ダイオード
８０  ダイオード
８２  コンデンサ
８４  ダイオード
８６  ダイオード
８８  コンデンサ
９０  出力電流（Ｉｏｕｔ）検知／条件付け素子
９２  ＬＥＤ
９４  ＬＥＤ
９６  抵抗器
９８  抵抗器
１００  増幅器
１０２  フォトダイオード
１０４  抵抗器
１０６  コンデンサ
１０８  抵抗器
１１０  抵抗器
１１２  抵抗器
１１４  ＬＥＤ
１１６  ＬＥＤ
１１８  ダイオード
１２０  ダイオード
１２２  コンデンサ
１２８  出力電流調節回路
１３０  ダイオード
１３２  抵抗器
１３４  コンデンサ
１３６  抵抗器
１３８  コンデンサ
１４０  抵抗器
１４２  抵抗器
１４４  抵抗器
１４６  誤差増幅器
１４８  抵抗器
１５０  ダイオード
１５２  抵抗器
１５４  抵抗器
１５６  ピーク出力電流調節素子
１５８  フォトトランジスタ
１６０  フォトトランジスタ
【図１】
0005586622.tif 000002
【図２】
0005586622.tif 000003
【図３】
0005586622.tif 000004